(57)【要約】消化器官の第１区域と第２区域との間に吻合を形成するためのシステムは、内部を通って延びる管腔を有し、かつ第１区域内の第１標的部位に配置される光学スコープ装置（「ＯＳＤ」）であって、光学スコープ装置の遠位端部に第１標的部位を観察するための撮像構成要素を備えた光学スコープ装置と、内部を通って延びるワーキングチャネルを備え、かつ第２区域内の第２標的部位に配置される第１内視鏡（「ＦＥ」）と、近位端部からループを含む遠位端部まで延びる捕捉装置（「ＣＤ」）であって、管腔を通って延びる捕捉装置と、ＦＥを通って延びる第１可撓性要素（「ＦＦＥ」）と、ＦＦＥはループを通過してＦＦＥをＣＤに結合し、第１区域と第２区域と接続する結合要素を含み、結合要素は挿入形態とロック形態との間を移行することと、第１区域と第２区域との間に流体連通を提供する内部を通って延びる管腔を有するステントとを含む。
2021504009.tif 000002
【特許請求の範囲】
【請求項１】
消化器官の第１区域と第２区域との間に吻合を形成するためのシステムにおいて、
内部を通って延びる管腔を備え、第１区域内の第１標的部位に配置される光学スコープ装置であって、前記光学スコープ装置の遠位端部に第１標的部位を観察するための撮像構成要素を備えた光学スコープ装置と、
内部を通って延びるワーキングチャネルを備え、第２区域内の第２標的部位に配置される第１内視鏡と、
近位端部からループを備えた遠位端部まで延びる捕捉装置であって、前記光学スコープ装置の管腔を通って延びる捕捉装置と、
第１内視鏡を通って延びるように構成された第１可撓性要素であって、第１可撓性要素は第１可撓性要素の遠位端部に結合要素を備え、前記結合要素は前記ループを通過して第１可撓性要素を前記捕捉装置に結合し、及び第１区域と第２区域とを接続し、前記結合要素は、前記結合要素が前記捕捉装置のループを通過するような大きさにされる挿入形態と、前記結合要素が、前記ループを拡張可能要素が通過するのを防止して、第１可撓性要素ワイヤを前記捕捉装置に対して着脱自在にロックするロック形態との間を移行可能である、第１可撓性要素と、
本体部分、近位フランジ及び遠位フランジを備えたステントであって、前記本体部分は、内部を通って延びる管腔を備え、かつ前記管腔が第１区域と第２区域との間に流体連通を提供するように、第１標的部位及び第２標的部位の壁を貫通して延在するステントとを備える、システム。
【請求項２】
遠位端部からハンドルに結合された近位端部まで延びるカテーテルを備えたステント送達システムをさらに備え、前記カテーテルは内部に前記ステントを受容するワーキングチャネルを備え、前記ステント送達システムは、前記ステントを標的吻合部位内に配置する、請求項１に記載のシステム。
【請求項３】
第１区域は小腸内にある、請求項１又は２に記載のシステム。
【請求項４】
第２区域は胃内にある、請求項１乃至３のいずれか１項に記載のシステム。
【請求項５】
第１内視鏡のワーキングチャネル内に配置されたニードルをさらに備え、前記ニードルは、内部を通って延びる管腔を備え、かつ第１標的部位及び第２標的部位の壁を貫通して、第２区域内に配置された前記ニードルの遠位端部が前記ループ内に配置されるまで前進されることができ、前記管腔は第１可撓性要素を受容する、請求項１乃至４のいずれか１項に記載のシステム。
【請求項６】
第１可撓性要素はガイドワイヤであり、前記結合要素は、前記ロック形態において、前記ループの直径より大きな直径を有する拡張可能要素である、請求項１に記載のシステム。
【発明の詳細な説明】
【技術分野】
【０００１】
本発明は、人体の器官を縫合するためのシステム、方法、及び装置に関し、より具体的には胃腸吻合を実施するためのシステム、方法及び装置に関連する。
【背景技術】
【０００２】
胃腸吻合は胃流出路閉塞及び他の問題に関連した栄養障害を治療するために実施されてきた。胃腸吻合は、腹腔鏡又は開腹外科手技のいずれかによって外科的に形成され得る。しかしながら、この手技を内視鏡によって実施することは、胃管腔を経由して小腸内の所望位置を内視鏡によって特定する必要があることを含めて多くの課題を伴う。胃壁及び腸壁を介した画像を提供するためには超音波内視鏡が用いられてきたが、小腸は一般的には萎んでおり、このような方法でアクセスすることは困難である。
【０００３】
この標的とする難題を多少とも解決する技術は、幽門を通って十二指腸又はトライツ靱帯（ｌｉｇａｍｅｎｔ  ｏｆ  Ｔｒｉｅｔｚ）の近くの空腸の近位部へ深く通される追跡バルーン（ｔｒａｃｋｉｎｇ  ｂａｌｌｏｏｎ）を用いることを含んでいる。標的バルーン（ｔａｒｇｅｔｉｎｇ  ｂａｌｌｏｏｎ）は、次に、超音波内視鏡及び／又は蛍光透視法による可視化をより明瞭にする造影剤又は水もしくは空気によって膨らまされる。第２の方法は、互いから軸線方向に（すなわち装置の長手軸線に沿って）約２００ｍｍ離れた２つの同様な大きさのバルーンを用いる。これらのバルーン間に延びる装置内の空間は、次に薄い造影剤で充填され、胃管腔からの穿刺の標的を形成する。２バルーン法の利点は、医師は
バルーンの間を穿刺するのであり、それらのバルーンのいずれかを直接穿刺するのではないため、単一の標的バルーンの場合のようにバルーン自体は穿刺されないという点である。別の方法としては、小腸を希釈した造影剤で満たして、小腸を膨張させ可視化することが挙げられる。小腸が薬学的に固定されると、一時的な標的が形成される。しかしながら、時間とともに、流体は消散し再導入される必要がある。
【発明の概要】
【発明が解決しようとする課題】
【０００４】
内視鏡胃腸吻合術によってもたらされる第２の課題は、最初の穿通が行われた後に組織の遠位部分の制御を失う可能性があることである。これは、最初の穿刺部位がバルーン又は電気焼灼のいずれかによって広げられた場合には、より深刻になることがある。
【課題を解決するための手段】
【０００５】
本開示は、消化器官の第１区域と第２区域との間に吻合を形成するためのシステムに関連する。このシステムは、内部を通って延びる管腔を備え、第１区域内の第１標的部位に配置されるように構成された光学スコープ装置であって、光学スコープ装置の遠位端部に第１標的部位を観察するための撮像構成要素を備えた光学スコープ装置と、内部を通って延びるワーキングチャネルを備え、第２区域内の第２標的部位に配置されるように構成された第１内視鏡とを、近位端部からループを含む遠位端部まで延びる捕捉装置であって、光学スコープ装置の管腔を通って延びるように構成された捕捉装置、及び第１内視鏡を通って延びるように構成された第１可撓性要素と組み合わせて含んでいる。第１可撓性要素は第１可撓性要素の遠位端部に結合要素を備え、結合要素はループを通過して第１可撓性要素を捕捉装置に結合し、第１区域と第２区域とを接続するように構成されており、結合要素は、結合要素が捕捉装置のループを通過するような大きさにされる挿入形態と、結合要素が、ループを拡張可能要素が通過するのを防止して、第１可撓性要素ワイヤを捕捉装置に対して着脱自在にロックするように構成されたロック形態との間を移行可能である。システムはまた、本体部分、近位フランジ及び遠位フランジを備えたステントも含んでおり、本体部分は、内部を通って延びる管腔を備え、かつ管腔が第１区域と第２区域との間に流体連通を提供するように、第１標的部位及び第２標的部位の壁を貫通して延在するように構成されている。
【０００６】
一実施形態において、システムは、遠位端部からハンドルに結合された近位端部まで延びるカテーテルを備えたステント送達システムをさらに含み、カテーテルは内部にステントを受容するように構成されたワーキングチャネルを備え、ステント送達システムは、ステントを標的吻合部位内に配置するように構成されている。
【０００７】
一実施形態において、第１区域は小腸内にある。
一実施形態において、第２区域は胃内にある。
一実施形態において、システムは、第１内視鏡のワーキングチャネル内に配置されたニードルをさらに含み、ニードルは、内部を通って延びる管腔を備え、かつ第１標的部位及び第２標的部位の壁を貫通して、消化器官の第２区域内に配置されたニードルの遠位端部がループ内に配置されるまで進められるように構成されており、管腔は第１ガイドワイヤを受容するように構成されている。
【０００８】
本開示はまた、消化器官の第１区域と消化器官の第２区域との間の吻合を形成する方法に関連する。この方法は、内部を通って延びる管腔を備えた光学スコープ装置を消化器官の第１区域内の第１標的部位に進めるステップと、光学スコープ装置は、光学スコープ装置の遠位端部に第１標的部位を観察するための撮像構成要素を備えることと、内部を通って延びるワーキングチャネルを備えた第１内視鏡を消化器官の第２区域内の第２標的部位に進めるステップと、第１内視鏡を通って延びる第１ガイドワイヤを、光学スコープ装置を通って延びる捕捉装置に結合して、消化器官の第１区域と第２区域とを接続するステップと、第１ガイドワイヤは、第１区域から第１標的部位及び第２標的部位の壁を貫通して第２区域に通され、撮像構成要素は、第１ガイドワイヤと捕捉装置との結合を容易にするために第１標的部位の視覚的供給物（ｖｉｓｕａｌ  ｆｅｅｄ）を提供することと、ステントの遠位フランジが第１区域内に配置され、近位フランジは第２区域内に配置され、かつ本体部分は第１標的部位の壁と第２標的部位の壁とを架橋して、本体部分の管腔が第１区域と第２区域との間の流体が流れるような連通（以下「流体連通」と記載）を可能にするように、ステントを標的吻合部位に配置するステップとを含む。
【０００９】
一実施形態において、捕捉装置はスネア装置である。
一実施形態において、上記の方法は、スネア装置を光学スコープ装置の管腔を通じて、スネア装置の遠位端部が管腔の遠位端部を過ぎて遠位に延びるまで挿入するステップをさらに含み、スネア装置は拡張形態と引き締め形態との間を移行可能に構成された遠位ループを含む。
【００１０】
一実施形態において、上記の方法は、ニードルを第１内視鏡ワーキングチャネルから、第１標的部位の壁及び第２標的部位の壁を貫通して、消化器官の第２区域内に配置されたニードルの遠位端部がループ内に配置されるまで進めるステップをさらに含む。
【００１１】
一実施形態において、上記の方法は、第１ガイドワイヤを、ガイドワイヤの遠位端部がループを通って延在するまで、ニードルの管腔内に挿入するステップと、ループを第１ガイドワイヤのまわりに引き締めて第１区域と第２区域との間に接続を形成するステップとをさらに含む。
【００１２】
一実施形態において、上記の方法は、使用者が第１標的部位を可視化するのを支援するために、第１標的部位に一定体積の液体を注入して、第１区域の直径を増大させ、超音波によって標的管腔の画像を提供するステップをさらに含む。
【００１３】
一実施形態において、ステントはステント送達システムによって標的吻合部位内に配置され、ステント送達システムは、遠位端部からハンドルに結合された近位端部まで延びるカテーテルを備え、カテーテルは内部にステントを受容するように構成されたワーキングチャネルを備える。
【００１４】
一実施形態において、上記の方法は、カテーテルの遠位端部を第１標的部位及び第２標的部位の壁に通過させるステップと、ステントの遠位フランジを遠位フランジが第１区域内の第１標的部位の壁に当接するように留置するステップと、カテーテルを、第１標的部位及び第２標的部位の壁を通って、第２区域内の位置に後退させるステップと、ステントの近位フランジを近位フランジが第２区域内の第２標的部位の壁に当接するように留置するステップとをさらに含む。
【００１５】
一実施形態において、ガイドワイヤの遠位端部はアンカー部を含み、アンカー部は、第１ガイドワイヤの長手軸線に直交して延びてＴ字形を形成する。
一実施形態において、上記の方法は、内部を通って延びるワーキングチャネルを備えた第２内視鏡を第１区域に進めるステップと、第２ガイドワイヤを第２ガイドワイヤの遠位端部が第１標的部位に配置されるまで第２内視鏡のワーキングチャネル内に通すステップと、第２内視鏡を患者から抜去するステップと、光学スコープ装置を第２ガイドワイヤ上において第１標的部位まで進めるステップと、第２ガイドワイヤを患者から抜去するステップとをさらに含む。
【００１６】
本開示はまた、消化器官の第１区域と消化器官の第２区域との間の吻合を形成する方法に関連する。この方法は、光学スコープ装置の撮像構成要素を通じて、消化器官の第１区域内において第１標的部位を決定するステップと、撮像構成要素は、使用者に第１標的部位の視覚的供給物を提供し、光学スコープ装置は内部通って延びる管腔を含み、かつ第１標的部位に配置された遠位端部を有することと、超音波内視鏡を通じて、消化器官の第２区域内において第２標的部位を決定するステップと、超音波内視鏡はワーキングチャネルを備え、かつ第２標的部位に配置された遠位端部を有することと、ガイドワイヤの遠位端部を、超音波内視鏡から、第２標的部位を通って、第１標的部位及び第２標的部位の壁を介して、第１標的部位へ、遠位端部が光学スコープ装置から延びる捕捉機構内に配置されるまで通過させることによって、消化器官の第１区域と第２区域との間に接続を形成するステップと、捕捉機構は第１標的部位に配置されていることと、ステントの遠位フランジが第１区域内に配置され、近位フランジは第２区域内に配置され、かつ本体部分は第１標的部位の壁と第２標的部位の壁とを架橋して、本体部分の管腔が第１区域と第２区域との間の流体連通を可能にするように、ガイドワイヤを通じてステントを留置するステップとを含む。
【００１７】
一実施形態において、上記の方法は、使用者が吻合の所望の位置を可視化するのを支援するために、光学スコープ装置の遠位端部の光源によって、第１標的部位及び第２標的部位の壁を介して第１標的部位及び第２標的部位を透照するステップをさらに含む。
【００１８】
一実施形態において、上記の方法は、超音波内視鏡によって、透照された第１標的部位及び第２標的部位の超音波画像を使用者に提供するステップをさらに含む。
【図面の簡単な説明】
【００１９】
【図１】本開示の例示的実施形態によるシステム及び方法の内視鏡の斜視図。
【図２】図１のシステム及び方法の光学スコープ装置の概略部分断面図。
【図３】図１のシステム及び方法の超音波内視鏡の概略部分断面図。
【図４】図１のシステム及び方法の例示的実施形態によるスネア装置の斜視図。
【図５】図１のシステム及び方法のステント送達システムの部分断面図。
【図６】図１のシステム及び方法のステントの側面斜視図。
【図７】本開示の例示的実施形態による吻合を形成するための方法ステップの部分断面図。
【図８】吻合を形成するための方法ステップの部分断面図。
【図９】吻合を形成するための方法ステップの部分断面図。
【図１０】吻合を形成するための方法ステップの部分断面図。
【図１１】吻合を形成するための方法ステップの部分断面図。
【図１２】吻合を形成するための方法ステップの部分断面図。
【図１３】吻合を形成するための方法ステップの部分断面図。
【図１４】吻合を形成するための方法ステップの部分断面図。
【図１５】吻合を形成するための方法ステップの部分断面図。
【図１６】吻合を形成するための方法ステップの部分断面図。
【図１７】図１のシステム及び方法のガイドワイヤ用Ｔワイヤ延長部の斜視図。
【発明を実施するための形態】
【００２０】
本開示は、以下の説明及び添付図面に関連してさらに理解され得る。添付図面では、同一の要素は同一の参照数字で参照される。本開示は非付着性構造を内視鏡的に接続するためのシステム及び方法に関連する。具体的には、本開示は胃腸吻合を形成するためのシステム及び方法に関連する。本開示の例示的実施形態は、小腸内の標的部位において直接的な視覚的アクセスを提供する光学スコープ装置を含むシステムについて説明する。例示的システムはまた、標的部位（例えば胃内）を可視化するための超音波内視鏡、並びに介在する器官（例えば胃及び小腸）の壁を介して光学スコープ装置及び超音波内視鏡を接続するためのガイドワイヤシステムも含んでいる。本願に用いられる「近位」及び「遠位」という用語は、装置の使用者に近づく方向（基端）及び遠ざかる方向（先端）を指すものとすることに留意されたい。
【００２１】
図１に示すように、システム１００は、近位端部１１５から遠位端部１１３まで延び、かつ内部を通って延びるワーキングチャネル１０８を備えた長尺状部材１１１を含む内視鏡１１０を備える。長尺状部材１１１は、当業者によって理解されるように、長尺状部材を例えば自然体内管腔内の蛇行した経路に沿って操作できるようにするために、可撓性であるか、又は可撓性の部分を含むことができる。以下にさらに詳細に記載するように、システム１００はまた、光学スコープ装置１１４、超音波内視鏡１１６、スネア装置１１８、及びステントシステム１２２も含んでいる。
【００２２】
図２に示す例示的実施形態において、光学スコープ装置１１４は、例えば、光学スコープ装置１１４の遠位端部を小腸内に挿入した場合に使用者が小腸を観察することを可能にするスパイスコープ（Ｓｐｙ  Ｓｃｏｐｅ）（商標）のような直接可視化スコープ（ｄｉｒｅｃｔ  ｖｉｓｕａｌｉｚａｔｉｏｎ  ｓｃｏｐｅ）である。光学スコープ装置１１４は、体内管腔に挿入され得る長尺状部材１２６、遠位スコープ先端部１２８、及びスコープが使用中であるときに体内管腔の外部に残されるハンドルを備える。当業者には理解されるように、ハンドルは、体内管腔内において光学スコープ装置１１４の長尺状部材１２６を制御及び操作するために用いることができる１つ以上の制御機構又はアクチュエータを備える。光学スコープ装置１１４はまた、内視鏡２０の他の機能を作動させるため、例えば、レンズ、画像検出器、及び／又は体内管腔内の像の照明及び／又は捕捉に関連する他の構成要素を制御又は操作するために用いられ得るアクチュエータを備えてもよい。当業者には理解されるように、遠位先端部１２８は、長尺状部材１２６の遠位端部分に結合されていてもよいし、又はその遠位端部分と一体的に形成されていてもよい。遠位スコープ先端部１２８は、撮像及び／又は光学構成要素１３３を包囲するハウジング１３０を備える。例えば、ハウジング１３０内には、１つ以上のレンズ、画像検出器、及び／又は光源のような光学構成要素が少なくとも部分的に包囲されているか、又は埋め込まれていてもよい。光学スコープ装置１１４はまた、長尺状部材１２６及び／又はハンドルを通って延びる１つ以上の管腔１３２も備え得る。いくつかの実施形態において、光学スコープ装置１１４の長尺状部材１２６は、様々な構成要素が標的領域へ挿入され得る単一の管腔１３２を備える。例えば、光学スコープ装置１１４は、例えばガイドワイヤ１１２、潅流及び／又は吸引装置、鉗子、ドリル、スネア、ニードルなどのような様々な医療装置又は器具を摺動可能に受容するような大きさ及び形状に形成された１つ以上のワーキングチャネル又は管腔１３２を備えてもよい。
【００２３】
システム制御装置１３４は、以下でより詳細に記載するように、光学スコープ装置１１４に結合され、かつ光学スコープ装置１１４の諸要素を制御するように構成され得る。当業者によって理解されるように、システム制御装置１３４は、例えば、プロセッサ１３６、画像制御装置１３８及び光制御装置１４０を含み得る。光制御装置１４０は、例えば、光学スコープ装置１１４によって撮像されるべき標的組織を照明するために、光学スコープ装置１１４の遠位端部に光を提供する外部光源を備えてもよい。画像制御装置１３８、プロセッサ１３６、及び／又は光制御装置１４０は、システム制御装置１３４を通じて、又は独立した接続によって、画像又は映像表示装置１４２（例えばコンピュータ、監視装置、又は他の既知の画像表示装置）に結合され得る。別の実施形態では、これらの装置のうちのいくつか、又はすべては、システム制御装置１３４とは分離した別々の構成要素として提供されてもよい。
【００２４】
図３に見られるように、超音波内視鏡１１６は、この実施形態では、近位端部から遠位端部まで延び、かつ内部を通って延びるワーキングチャネル１４８を備えた軟性鏡である。当業者には理解されるであろう実施形態において、超音波内視鏡１１６は、ワーキングチャネル１４８の開放した遠位端部に隣接する領域を観察するために、ワーキングチャネルの遠位端部１５１に隣接した直視及び／又は斜視光学系（ｆｏｒｗａｒｄ  ａｎｄ／ｏｒ  ｏｂｌｉｑｕｅ  ｖｉｅｗｉｎｇ  ｏｐｔｉｃｓ）１４９を備え得る。超音波内視鏡１１６はまた、胃壁及び周辺領域の超音波画像を提供するために、その遠位端部において超音波トランスデューサ１５０も備えている。ニードル１２０は超音波内視鏡１１６のワーキングチャネル１４８内に収容されている。ニードル１２０は、一実施形態において、ほぼ円筒状であり（とはいえ任意の他の適当な形状が用いられてもよい）、近位端部から鋭利な組織穿通遠位尖頭１５４まで延びている。管腔１５３はニードル１２０を通って遠位尖頭１５４における遠位開口１５２まで延びている。ニードル１２０は、図１３に示すようにニードル１２０の遠位端部がワーキングチャネル１４８内に完全に収容される後退又は挿入位置と、図５に示すようにニードル１２０がワーキングチャネル１４８の遠位端部を遠位に通過して延びる延出位置との間で超音波内視鏡１１６に対して長手方向に移動可能である。超音波内視鏡１１６は、当業者には理解されるように、システム制御装置１３４、プロセッサ１３６及び表示装置１４２に接続され得る。
【００２５】
スネア装置１１８は、図４に示した例示的実施形態によれば、可撓性長尺状部材１５８及び遠位ループ１５６を備える。スネア装置１１８は、スネア装置１１８の遠位ループ１５６に近接したニードル又はガイドワイヤを捕らえ、かつ使用者が長尺状部材１５８を操作することよって制御されるように設計されている。長尺状部材１５８は、遠位ループ１５６から、装置の使用者にとってアクセス可能な体外に残る近位端部まで延びており、かつループ１５６を制御するためのアクチュエータ又は他の手段を備える。例えば、一実施形態において、長尺状部材１５８はハンドルを備えてもよい。スネア装置１１８は光学スコープ装置１１４の管腔１３２を通って小腸内の所望位置まで通されるように適合されている。ループ１５６が比較的容易に光学スコープ装置１１４の長さを通過して、その遠位端部から退出することができるように、長尺状部材１５８は、好ましくは、長尺状部材１５８が導かれる光学スコープ装置管腔１３２の直径よりも小さな直径を有する。ループ１５６は、ループの側方部分同士が光学スコープ装置１１４の管腔１３２の内壁によって押し付けられる挿入形態から、（例えばループ１５６の材料に与えられた付勢を受けて）側方部分が互いから離れて、例えば、ほぼ円形、楕円形などの開ループを形成する図５に示した開放形態に拡張可能である。いくつかの実施形態では、スネア装置１１８を形状記憶合金、例えばニチノールとしても知られているニッケルチタン、又は形状記憶ポリマーのような形状記憶材料から製造して、ループ１５６が挿入形態と開放形態との間を容易に移行できるようにしてもよい。ループ１５６はまた、以下でさらに詳細に記載するように、例えばニードル１２０の先端部を捕捉するために、使用者によって引き締められることができる。スネア装置１１８及びループ１５６は、ループ１５６内に捕捉されるべき標的装置に対するループ１５６の位置及び向きを修正するために、スネア装置１１８の近位端部（この実施形態において図示せず）を操作することによって、内視鏡の器械挿入チャネル内において回転されてもよい。
【００２６】
システムは、例えばボストン  サイエンティフィック  コーポレイションから入手可能なアクシオス  ステント  システム（ＡＸＩＯＳ  Ｓｔｅｎｔ  Ｓｙｓｔｅｍ（商標））のようなステント送達システム１２２をさらに含む。ステント送達システム１２２は、図５に示すように、内部に配置されたステント１６４、及びハンドル１６８を有したカテーテル１６６を含む。図６に見られるように、ステント１６４は、近位フランジ１７４及び遠位フランジ１７６と中央管腔１７８とを有した管状本体１７２として構成されている。例示的実施形態において、カテーテル１６６はまた、カテーテル１６６及び続いてステント１６４を挿入するための穴を胃壁及び小腸壁に形成することを支援する焼灼遠位先端部１７０も備え得る。
【００２７】
図７は、消化器官の第１部分１０２と消化器官の第２部分１０４との間に吻合を形成する方法の一部を示している。示した実施形態では、第１部分１０２は概して胃１０３として示され、一方、第２部分１０４は、例えば、十二指腸又は小腸の他の部分を迂回するために胃空腸吻合術を実施するための小腸１０５の一部として示されている。本実施形態は、第１部分１０２を胃１０３として示し、第２部分１０４を小腸１０５として示しているが、吻合は消化器官のいかなる他の適当な部分の間に形成されてもよいことが理解されるであろう。例えば、吻合はまた、胃と大腸との間、又は小腸の一部と大腸の一部との間に形成されてもよい。
【００２８】
図８に示すように、内視鏡１１０を患者の口から食道に沿って患者の胃１０３に通し、幽門を介して小腸１０５内に挿入する。次に、ガイドワイヤ１１２を、ガイドワイヤ１１２の遠位端部１２４が内視鏡１１０を退出し、トライツ靭帯を越えて十二指腸内に遠位に延在するまで、内視鏡１１０のワーキングチャネル１０８に挿入する。ガイドワイヤ１１２が標的位置に位置したら、内視鏡１１０を患者から抜去して、遠位端部１２４が小腸内の所望位置に位置した状態でガイドワイヤを小腸内に残す。図８に見られるように、次に、長尺状光学スコープ装置１１４をガイドワイヤ１１２上において小腸内に進める。
【００２９】
光学スコープ装置１１４をトライツ（Ｔｒｉｅｔｚ）靭帯を越えてガイドワイヤ１１２の遠位端部まで進めたら、光学スコープ装置１１４及びガイドワイヤ１１２をいくつかの方法によって標的吻合部位１０４まで進め得ることが当業者には理解されるであろう。例えば、一実施形態では、光学スコープ装置１１４及びガイドワイヤ１１２を一体として小腸１０５を通って標的吻合部位１０４まで同時に進める。別の実施形態では、ガイドワイヤ１１２を光学スコープ装置１１４に先行して進め、次いでガイドワイヤ１１２上で光学スコープ装置１１４を後続させ、これを双方が小腸内の所望の位置に到達するまで繰り返す。
【００３０】
光学スコープ装置１１４及びガイドワイヤ１１２が標的吻合位置に位置したら、超音波内視鏡１１６を患者に口から光学スコープ装置１１４に沿って胃へ導入する。超音波内視鏡１１６の遠位端部１４４は、幽門を経由して胃から退出させられるのではなく、吻合の標的部位に隣接した胃１０２の側面に向けられる。具体的には、超音波内視鏡１１６は、図９〜図１０に示すように、胃壁を通して小腸の方を見るように、胃１０３の大彎の下部にもたせ掛けられる。
【００３１】
小腸１０５内におけるガイドワイヤ１１２及び光学スコープ装置１１４の位置、及び、これにより吻合接続部１０４の所望の位置の可視化を支援するために、使用者は光学スコープ装置１１４の管腔１３２を通じて一定体積の流体を小腸１０５に注入し得る。流体は、使用者が吻合位置１０４を容易に可視化することができるように、光学スコープ装置１１４の先端部１２８が位置する領域において小腸の直径を増大させる。一実施形態において、放射線不透過性流体を使用して、使用者が蛍光透視法を用いて小腸１０５の所望領域１０４を可視化できるようにしてもよい。使用者はまた、光学スコープ装置１１４の光源１３３を用いて、小腸１０５及び胃１０３を透照して、超音波内視鏡１１６が形成されるべき所望の接続の方向を見られるようにしてもよい。これに代わって、使用者は、超音波内視鏡１１６上に提供される光を用いて胃１０３及び小腸１０５を透照して、胃１０３及び小腸１０５が光学スコープ装置１１４上のカメラによって可視化されるようにしてもよい。
【００３２】
超音波内視鏡１１６が胃内の適所に位置したら、次にガイドワイヤ１１２を図１０に示すように光学スコープ装置１１４の管腔１３２から患者の外に抜去し得る。次に、スネア装置１１８を、光学スコープ装置１１４の管腔１３２を通じて、スネア装置１１８の遠位端部のループ１５６が光学スコープ装置１１４の遠位先端部１２８を遠位に通過して開放位で流体中に延在するまで挿入する。当業者には分かるように、管腔１３２内に十分な空間がある場合には、これに代わって、スネア装置１１８が管腔を通って挿入される際にガイドワイヤ１１２を適所に残しておいてもよい。
【００３３】
図１１に移ると、第１部分１０２及び第２部分１０４をより詳細に見ることができる。吻合は第１部分１０２と第２部分１０４との間に形成されるものとする。可撓性超音波内視鏡１１６の遠位端部は胃壁部分１０２に隣接して配置されており、一方、光学スコープ装置１１４の遠位端部及びスネア１１８は小腸の第２部分１０４に隣接して配置されている。吻合の形成の開始が望まれる場合、ニードル１２０をワーキングチャネルから遠位に延ばして、第１部分１０２において胃壁に突き通し、次いで小腸の第２部分１０４に突き通す。次に、ループ１５６がニードル１２０の遠位部分のまわりに配置されるまで、スネア装置１１８の遠位端部を使用者が操作する。次いで、長尺状部材１５８を近位方向に移動させることによって、ループ１５６をニードル１２０のまわりに引き締める。
【００３４】
胃１０３と小腸１０５との間に安定した接続を形成するために、第２ガイドワイヤ１６０を、ニードル１２０の管腔１５０を通じて、図１１に見られるように、ガイドワイヤ１６０の遠位端部１６２が管腔１５０から小腸１０５内へ遠位に延在するまで挿入する。光学スコープ装置１１４によって可視化されるように、所望量のガイドワイヤ１６０がニードル１２０の先端部を越えて進められた場合、スネアループ１５６を長尺状部材１５８の遠位方向の移動によって緩めて、ガイドワイヤ１６０上に再配置し、そこでループ１５６を図１２〜図１３に示すように再度引き締めて、第１部分１０２と第２部分１０４との間に接続レールを形成する。この安定した接続は、使用者に吻合の両端から（すなわち、小腸内及び胃内から）の制御を提供する。ガイドワイヤ１６０をスネアループ１５６によって成功裡に捕捉した後、ニードル１２０を超音波内視鏡１１６のワーキングチャネルを通じて小腸及び胃から後退させて、図１４に示すように、ガイドワイヤ１６０とスネア装置１１８とが胃及び小腸の壁を介して接続された状態にする。
【００３５】
一実施形態において、ガイドワイヤ１６０は、スネアループ１５６がガイドワイヤ１６０の捕捉後に滑り落ちるのを防止するために、ガイドワイヤ１６０の遠位端部にバルーン又は他の拡張可能要素を備えていてもよい。具体的には、スネアループ１５６をガイドワイヤ１６０上においてバルーンの近位に配置する。次に、バルーンを流体又はガスのいずれかによってスネアループ１５６の開口の寸法よりも大寸に膨張させて、ループ１５６がガイドワイヤ１６０から脱離するのを防止する。
【００３６】
別の例示的実施形態では、ガイドワイヤ１６０は、図１７に示すように、遠位端部１６２においてＴ字形ワイヤ延長部１６１を備える。具体的には、遠位端部は、ガイドワイヤ１６０の長手軸線Ｌに直交して延びてＴ字形を形成するアンカー部１６３を備える。ガイドワイヤ１６０がニードル１２０の管腔１５０によって配置されるときには、アンカー部１６３は、アンカー１６３がガイドワイヤ１６０とほぼ平行となる挿入形態に拘束されている。しかしながら、次に、ガイドワイヤ１６０の遠位端部１６２はニードル１２０の遠位端部を過ぎて遠位に進められ、延長部１６１は、（例えば、その自然な付勢（ｎａｔｕｒａｌ  ｂｉａｓ）を受けて）アンカー部１６３がガイドワイヤ１６０に直交するその留置形態に移行する。よって、アンカー１６３を備えたＴ字形延長部１６１は、スネアがガイドワイヤ１６０から不注意で滑り落ちるのを防止する。
【００３７】
位置決めがされると、ステント１６４がステント送達システム１２２を用いて吻合部位に配置され得る。カテーテル１６６をガイドワイヤ１６０上において超音波内視鏡のワーキングチャネル１４８を通じて図１５に示すように遠位先端部が胃１０３の壁に達するまで進める。この時点で、カテーテル１６６が焼灼遠位先端部１７０を備えている場合には、使用者は、カテーテル１６６が遠位に進められる際に胃壁及び小腸壁を通る小さな穴が形成されるように、先端部１７０への電気エネルギー供給を作動させてもよい。カテーテル１６６は、小腸内の光学スコープ装置１１４によって見えるまで進められる。カテーテル１６６が吻合部位の所望位置に位置したら、ステント１６４の遠位フランジ部１７６を、当業者には理解されるように、ハンドル１６８上のアクチュエータによってカテーテル１６６の遠位端部から留置する。遠位フランジ１７６が標的部分１０４の小腸１０５の壁に隣接した適所に位置したら、カテーテル１６６を後退させて、胃壁と腸壁とを引き寄せる。次に、ステント１６４の近位フランジ１７４を標的部分１０２において胃１０３内に留置する。よって、この時点で、図１６に示すように、遠位フランジ１７６は小腸１０５内に位置し、近位フランジ１７４は胃１０３内に位置し、管状本体１７２は小腸壁と胃壁とを架橋した状態で、ステント１６４全体が留置される。フランジ１７４，１７６は、胃１０３と小腸１０５との間の組織並置（ｔｉｓｓｕｅ  ａｐｐｏｓｉｔｉｏｎ）を維持しながら吻合地点からのステント１６４の移動を防止し、一方、管状本体１７２の管腔は２つの器官の間における流体連通を可能にする。
【００３８】
吻合が完了したら、ステントシステム１２２を本体から後退させてもよい。次に、スネアループ１５６を緩めて、ガイドワイヤ１６０及び超音波内視鏡１１６を体内から除去し、続いて光学スコープ装置１１４及びスネア装置１１８を除去する。
【００３９】
上述した実施形態に対して、それらの発明概念から逸脱することなく、変更がなされてもよいことが当業者には認識されるであろう。それらの実施形態のうちの１つに関連する構造的特徴及び方法を他の実施形態に組み込むことができることもさらに認識すべきである。従って、本発明は開示した特定の実施形態に限定されるものではなく、むしろ変更物も添付の特許請求の範囲によって定義される本発明の範囲内に包含されることが理解される。
【図１】
2021504009.tif 000003
【図２】
2021504009.tif 000004
【図３】
2021504009.tif 000005
【図４】
2021504009.tif 000006
【図５】
2021504009.tif 000007
【図６】
2021504009.tif 000008
【図７】
2021504009.tif 000009
【図８】
2021504009.tif 000010
【図９】
2021504009.tif 000011
【図１０】
2021504009.tif 000012
【図１１】
2021504009.tif 000013
【図１２】
2021504009.tif 000014
【図１３】
2021504009.tif 000015
【図１４】
2021504009.tif 000016
【図１５】
2021504009.tif 000017
【図１６】
2021504009.tif 000018
【図１７】
2021504009.tif 000019
【国際調査報告】
2021504009.tif 000020
2021504009.tif 000021
2021504009.tif 000022